(57)【要約】      （修正有）【課題】電気光学装置の画質の低下を抑制する。【解決手段】第１出力回路２００ａは、配線群Ｂ[ｊｏｄｄ]内の各信号線１４に供給する電位を有する第１データ信号と、第１データ信号を配線群Ｂ[ｊｏｄｄ]内の各信号線１４に分配するための複数の第１選択信号を出力する。第２出力回路２００ｂは、配線群Ｂ[ｊｅｖｅｎ]内の各信号線１４に供給する電位を有する第２データ信号と、第２データ信号を配線群Ｂ[ｊｅｖｅｎ]内の各信号線１４に分配するための複数の第２選択信号を出力する。分配回路２１[ｊｏｄｄ]は、複数の第１選択信号を用いて、第１データ信号を配線群Ｂ[ｊｏｄｄ]内の各信号線１４に分配する。分配回路２１[ｊｅｖｅｎ]は、複数の第２選択信号を用いて、第２データ信号を配線群Ｂ[ｊｅｖｅｎ]内の各信号線１４に分配する。【選択図】図２
2018017788.tif 000002
【特許請求の範囲】
【請求項１】
２Ｋ（Ｋは２以上の自然数）本以上の信号線と２本以上の走査線との各交差に対応して
配置され前記走査線の選択時に前記信号線に供給された信号に応じた階調を表示する複数
の画素と、
前記２本以上の走査線の各々を順次に選択する走査線駆動回路と、
Ｋ本の信号線からなる第１信号線群内の各信号線に前記信号を供給するための第１デー
タ信号と、前記第１データ信号を前記第１信号線群内の各信号線に分配するための複数の
第１選択信号と、を出力する第１出力回路と、
前記第１信号線群に属するＫ本の信号線とは異なるＫ本の信号線からなる第２信号線群
内の各信号線に前記信号を供給するための第２データ信号と、前記第２データ信号を前記
第２信号線群内の各信号線に分配するための複数の第２選択信号と、を出力する第２出力
回路と、
前記複数の第１選択信号を用いて、前記第１データ信号を前記第１信号線群内の各信号
線に分配する第１分配回路と、
前記複数の第２選択信号を用いて、前記第２データ信号を前記第２信号線群内の各信号
線に分配する第２分配回路と、
を含むことを特徴とする電気光学装置。
【請求項２】
前記複数の第１選択信号の個数はＫ個であり、
前記複数の第２選択信号の個数はＫ個であり、
前記Ｋ個の第１選択信号の各々が前記第１出力回路から供給されるＫ本の第１選択信号
線と、
前記Ｋ個の第２選択信号の各々が前記第２出力回路から供給されるＫ本の第２選択信号
線とを備え、
前記第１分配回路には前記Ｋ本の第１選択信号線を介して前記Ｋ個の第１選択信号が供
給され、
前記第２分配回路には前記Ｋ本の第２選択信号線を介して前記Ｋ個の第２選択信号が供
給される、
ことを特徴とする請求項１に記載の電気光学装置。
【請求項３】
前記第１信号線群と前記第２信号線群は、それぞれ、複数存在し、
前記第１信号線群と前記第２信号線群とは、交互に配置されている
ことを特徴とする請求項１または２に記載の電気光学装置。
【請求項４】
前記第１出力回路は、前記第１信号線群ごとに、当該第１信号線群と第１データ線を介
して接続され、
前記第２出力回路は、前記第２信号線群ごとに、当該第２信号線群と第２データ線を介
して接続され、
前記第１データ線と前記第２データ線とが交互に並ぶように、前記第１出力回路が前記
第１データ線に、前記第２出力回路が前記第２データ線に、それぞれ、接続端子を介して
接続されている、
ことを特徴とする請求項３に記載の電気光学装置。
【請求項５】
２Ｋ（Ｋは２以上の自然数）本以上の信号線と２本以上の走査線との各交差に対応して
配置され前記走査線の選択時に前記信号線に供給された信号に応じた階調を表示する複数
の画素を含む電気光学装置の制御方法であって、
前記２本以上の走査線の各々を順次に選択し、
Ｋ本の信号線からなる第１信号線群内の各信号線に前記信号を供給するための第１デー
タ信号と、前記第１データ信号を前記第１信号線群内の各信号線に分配するための複数の
第１選択信号とを、第１出力回路から出力し、
前記第１信号線群に属するＫ本の信号線とは異なるＫ本の信号線からなる第２信号線群
内の各信号線に前記信号を供給するための第２データ信号と、前記第２データ信号を前記
第２信号線群内の各信号線に分配するための複数の第２選択信号とを、第２出力回路から
出力し、
前記複数の第１選択信号を用いて、前記第１データ信号を前記第１信号線群内の各信号
線に分配し、
前記複数の第２選択信号を用いて、前記第２データ信号を前記第２信号線群内の各信号
線に分配する、
ことを特徴とする電気光学装置の制御方法。
【請求項６】
請求項１から４のいずれか１項に記載の電気光学装置を含む電子機器。
【発明の詳細な説明】
【技術分野】
【０００１】
本発明は、電気光学装置、電気光学装置の制御方法および電子機器に関する。
【背景技術】
【０００２】
高精細な電気光学装置では、１個の駆動回路のみでデータ信号を出力する場合、その１
個の駆動回路に大きな負担がかかる。この負担を低減できる手法として、複数個（２個）
の駆動回路を用いてデータ信号を出力する手法が知られている（特許文献１参照）。
【先行技術文献】
【特許文献】
【０００３】
【特許文献１】特開２００７−２１２９５６号公報
【発明の概要】
【発明が解決しようとする課題】
【０００４】
ところで、電気光学装置が、駆動回路の出力するデータ信号を複数の選択信号に応じて
複数の信号線に分配するデマルチプレクサー等の分配回路を有する場合がある。ここで、
各駆動回路から、データ信号に加えて分配回路用の複数の選択信号を出力することも可能
である。この場合、複数の駆動回路のいずれかが出力した複数の選択信号のみを用いて分
配回路を制御するケースが考えられる。
しかしながら、このケースでは、駆動回路間で、選択信号を分配回路に供給するか否か
という動作条件の違いが生じてしまう。選択信号を分配回路に供給しない駆動回路では、
選択信号の出力に伴う電源電圧の変動がないが、選択信号を分配回路に供給する駆動回路
では、選択信号の出力に伴って電源電圧が変動する。この動作条件の違いは、各駆動回路
間でデータ信号のばらつきを引き起こし、画質の低下を引き起こすおそれがある。
【０００５】
一方、駆動回路の各々が、複数の選択信号の一部ずつを分担して分配回路に出力するこ
とも考えられる。
しかしながら、複数の選択信号の各々の出力タイミングは互いに異なっているので、個
々の駆動回路は、出力タイミングが異なる選択信号を受け持つことになる。よって、駆動
回路間で、受け持つ選択信号の違いに起因して動作条件に違いが生じてしまい、画質の低
下が引き起こされるおそれがある。
【０００６】
本発明は上述した事情に鑑みてなされたものであり、データ信号と選択信号とを出力す
る出力回路を複数個用いて電気光学装置を駆動する場合に、画質を向上させることを解決
課題とする。
【課題を解決するための手段】
【０００７】
本発明の電気光学装置の一態様は、２Ｋ（Ｋは２以上の自然数）本以上の信号線と２本
以上の走査線との各交差に対応して配置され前記走査線の選択時に前記信号線に供給され
た信号に応じた階調を表示する複数の画素と、前記２本以上の走査線の各々を順次に選択
する走査線駆動回路と、Ｋ本の信号線からなる第１信号線群内の各信号線に前記信号を供
給するための第１データ信号と、前記第１データ信号を前記第１信号線群内の各信号線に
分配するための複数の第１選択信号と、を出力する第１出力回路と、前記第１信号線群に
属するＫ本の信号線とは異なるＫ本の信号線からなる第２信号線群内の各信号線に前記信
号を供給するための第２データ信号と、前記第２データ信号を前記第２信号線群内の各信
号線に分配するための複数の第２選択信号と、を出力する第２出力回路と、前記複数の第
１選択信号を用いて、前記第１データ信号を前記第１信号線群内の各信号線に分配する第
１分配回路と、前記複数の第２選択信号を用いて、前記第２データ信号を前記第２信号線
群内の各信号線に分配する第２分配回路と、を含むことを特徴とする。
この態様によれば、第１出力回路が出力した複数の第１選択信号と、第２出力回路が出
力した複数の第２選択信号との両方が、それぞれ、データ信号の分配に用いられる。この
ため、第１出力回路と第２出力回路との間の、受け持つ選択信号の違い（出力タイミング
の違い）に関する動作条件の違いを低減でき、動作条件の違いに起因する画質の低下を抑
制可能になる。
なお、電気光学装置とは、電気的なエネルギーで光学的な性質が変化する電気光学物質
を有する装置の意味である。電気光学物質には、液晶や有機ＥＬ（electro luminescence
）などが該当する。
【０００８】
上述した電気光学装置の一態様において、前記複数の第１選択信号の個数はＫ個であり
、前記複数の第２選択信号の個数はＫ個であり、前記Ｋ個の第１選択信号の各々が前記第
１出力回路から供給されるＫ本の第１選択信号線と、前記Ｋ個の第２選択信号の各々が前
記第２出力回路から供給されるＫ本の第２選択信号線とを備え、前記第１分配回路には前
記Ｋ本の第１選択信号線を介して前記Ｋ個の第１選択信号が供給され、前記第２分配回路
には前記Ｋ本の第２選択信号線を介して前記Ｋ個の第２選択信号が供給されることが望ま
しい。
この態様によれば、Ｋ本の第１選択信号線とＫ本の第２選択信号線という２系統の信号
線を用いて、第１選択信号を第１分配回路に供給し、第２選択信号を第２分配回路に供給
することができる。
【０００９】
上述した電気光学装置の一態様において、前記第１信号線群と前記第２信号線群は、そ
れぞれ複数存在し、前記第１信号線群と前記第２信号線群とは、交互に配置されているこ
とが望ましい。
この態様によれば、異なる出力回路からのデータ信号で駆動される画素群を交互に配置
することが可能になる。よって、異なる出力回路からのデータ信号で駆動される画素群間
の画質の違いを目立ちにくくすることが可能になる。
【００１０】
上述した電気光学装置の一態様において、前記第１出力回路は、前記第１信号線群ごと
に、当該第１信号線群と第１データ線を介して接続され、前記第２出力回路は、前記第２
信号線群ごとに、当該第２信号線群と第２データ線を介して接続され、前記第１データ線
と前記第２データ線とが交互に並ぶように、前記第１出力回路が前記第１データ線に、前
記第２出力回路が前記第２データ線に、それぞれ、接続端子を介して接続されていること
が望ましい。
この態様によれば、第１データ線と第２データ線とを含むデータ線のピッチを、第１デ
ータ線のみのピッチや、第２データ線のみのピッチよりも小さくできる。また、第１デー
タ信号が供給される画素群と第２データ信号が供給される画素群とを交互に配置しやすく
なる。この場合、画素群間の画質の違いを目立ちにくくすることが可能になる。
【００１１】
本発明の電気光学装置の制御方法の一態様は、２Ｋ（Ｋは２以上の自然数）本以上の信
号線と２本以上の走査線との各交差に対応して配置され前記走査線の選択時に前記信号線
に供給された信号に応じた階調を表示する複数の画素を含む電気光学装置の制御方法であ
って、前記２本以上の走査線の各々を順次に選択し、Ｋ本の信号線からなる第１信号線群
内の各信号線に前記信号を供給するための第１データ信号と、前記第１データ信号を前記
第１信号線群内の各信号線に分配するための複数の第１選択信号とを、第１出力回路から
出力し、前記第１信号線群に属するＫ本の信号線とは異なるＫ本の信号線からなる第２信
号線群内の各信号線に前記信号を供給するための第２データ信号と、前記第２データ信号
を前記第２信号線群内の各信号線に分配するための複数の第２選択信号とを、第２出力回
路から出力し、前記複数の第１選択信号を用いて、前記第１データ信号を前記第１信号線
群内の各信号線に分配し、前記複数の第２選択信号を用いて、前記第２データ信号を前記
第２信号線群内の各信号線に分配することを特徴とする。
この態様によれば、第１出力回路が出力した複数の第１選択信号と、第２出力回路が出
力した複数の第２選択信号との両方が、それぞれ、データ信号の分配に用いられる。この
ため、第１出力回路と第２出力回路との間の、受け持つ選択信号の違い（出力タイミング
の違い）に関する動作条件の違いを低減でき、動作条件の違いに起因する画質の低下を抑
制可能になる。
【００１２】
本発明の電子機器の一態様は、上述した電気光学装置を備える。そのような電気光学装
置は、画質の低下を抑制可能になる。
【図面の簡単な説明】
【００１３】
【図１】本発明の第１実施形態の電気光学装置１の信号伝送系の構成を示す図である。
【図２】電気光学装置１の構成を示すブロック図である。
【図３】各画素ＰIXの回路図である。
【図４】電気光学装置の動作の説明図である。
【図５】電気光学装置１の一部の構成を示すブロック図である。
【図６】電子機器の形態（パーソナルコンピュータ）を示す斜視図である。
【図７】電子機器の形態（投射型表示装置）を示す斜視図である。
【発明を実施するための形態】
【００１４】
図１は、本発明の一実施形態である電気光学装置１の信号伝送系の構成を示す図である
。電気光学装置１は、電気光学パネル１００と、第１出力回路２００ａと、第２出力回路
２００ｂと、フレキシブル回路基板３００ａおよび３００ｂと、を備えている。なお、こ
の電気光学装置１は、例えば、フルハイビジョンの画素数を縦２倍、横２倍とし、3840×
2160の画素数を有するものであってもよい。また、第１出力回路２００ａと第２出力回路
２００ｂの各々は、例えば、駆動用集積回路である。
【００１５】
フレキシブル回路基板３００ａ、３００ｂには、それぞれ、第１出力回路２００ａ、第
２出力回路２００ｂが搭載されている。フレキシブル回路基板３００ａは、フレキシブル
回路基板３００ｂに積層されている。第１出力回路２００ａは、第２出力回路２００ｂに
積層されている。この構成は、ＣＯＦ（Chip On Film）と呼ばれる。
電気光学パネル１００は、フレキシブル回路基板３００ａの接続端子３００ａ１および
フレキシブル回路基板３００ｂの接続端子３００ｂ１と接続されている。電気光学パネル
１００は、フレキシブル回路基板３００ａおよび第１出力回路２００ａを介して、また、
フレキシブル回路基板３００ｂおよび第２出力回路２００ｂを介して、図示しない制御回
路に接続されている。
第１出力回路２００ａおよび第２出力回路２００ｂは、それぞれ、制御回路からフレキ
シブル回路基板３００ａ、３００ｂを介して、画像信号ＶIDおよび駆動制御のための各種
の信号を受信する。第１出力回路２００ａおよび第２出力回路２００ｂは、それぞれ、フ
レキシブル回路基板３００ａ、３００ｂを介して、電気光学パネル１００を駆動する。
【００１６】
図２は、電気光学パネル１００と、第１出力回路２００ａと、第２出力回路２００ｂの
構成を示すブロック図である。
【００１７】
電気光学パネル１００は、複数の画素（画素回路）ＰIXが平面状に配列された画素部１
０と、走査線駆動回路２０と、分配回路群２１と、を含む。
【００１８】
画素部１０には、相互に交差するＭ本の走査線１２とＮ本の信号線１４とが形成されて
いる（Ｍは２以上の自然数、Ｎは２Ｋ（Ｋは２以上の自然数）以上の数）。複数の画素Ｐ
IXは、各走査線１２と各信号線１４との交差に対応して配置されている。このため、複数
の画素ＰIXは、縦Ｍ行×横Ｎ列の行列状に配列されている。複数の画素ＰIXは、走査線１
２の選択時の信号線１４の電位に応じた階調を表示する。
【００１９】
画素部１０内のＮ本の信号線１４は、相隣接するＫ本を単位としてＪ個の配線群（ブロ
ック）Ｂ[１]〜Ｂ[Ｊ]に区分される（Ｊ＝Ｎ/Ｋ）。すなわち、信号線１４は配線群ブロ
ックＢ毎にグループ化される。本実施形態では、Ｊは２以上の偶数である。奇数番目の配
線群Ｂ[ｊｏｄｄ]（ｊｏｄｄ＝１、３・・・Ｊ−１）は、第１信号線群の一例である。偶
数番目の配線群Ｂ[ｊｅｖｅｎ]（ｊｅｖｅｎ＝２、４・・・Ｊ）は、第２信号線群の一例
である。このため、Ｎ本の信号線１４は、奇数番目の配線群Ｂ[ｊｏｄｄ]（第１信号線群
）と、偶数番目の配線群Ｂ[ｊｅｖｅｎ]（第２信号線群）と、を含むことになる。
【００２０】
図３は、各画素ＰIXの回路図である。各画素ＰIXは、液晶素子４２と選択スイッチ４４
とを含んで構成される。液晶素子４２は、電気光学素子の一例である。液晶素子４２は、
相対向する画素電極４２１および共通電極４２３と両電極間に介在する液晶４２５とで構
成されている。画素電極４２１と共通電極４２３との間の印加電圧に応じて液晶４２５の
透過率が変化する。
【００２１】
選択スイッチ４４は、例えば、走査線１２にゲートが接続されたＮチャネル型の薄膜ト
ランジスターで構成されている。選択スイッチ４４は、液晶素子４２（画素電極４２１）
と信号線１４との間に介在して両者の電気的な接続（導通／非導通）を制御する。画素Ｐ
IX（液晶素子４２）は、選択スイッチ４４がオン状態に制御されたときの信号線１４の電
位（後述の階調電位ＶG）に応じた階調を表示する。なお、液晶素子４２に対して並列に
接続される補助容量等の図示は省略されている。また、画素ＰIXの構成は適宜に変更され
得る。
【００２２】
説明を図２に戻す。制御回路３０は、同期信号を含む各種の信号を用いて、走査線駆動
回路２０と、第１出力回路２００ａと、第２出力回路２００ｂとを制御する。例えば、制
御回路３０は、図４に示すような、垂直走査期間Ｖを規定する垂直同期信号ＶSYNCや水平
走査期間Ｈを規定する水平同期信号ＨSYNCを、走査線駆動回路２０と、第１出力回路２０
０ａと、第２出力回路２００ｂとに供給する。また、制御回路３０は、各画素ＰIXの階調
を時分割で指定する画像信号ＶIDを、第１出力回路２００ａと、第２出力回路２００ｂと
に供給する。走査線駆動回路２０と第１出力回路２００ａと第２出力回路２００ｂは、互
いに協働して画素部１０の表示を制御する。
通常、一つの表示画面を構成する表示データはフレーム単位で処理され、この処理期間
が１フレーム期間（１Ｆ）である。フレーム期間Ｆは、一つの表示画面が１回の垂直走査
で構成される場合、垂直走査期間Ｖに相当する。
【００２３】
走査線駆動回路２０は、図４に示すように、水平同期信号ＨSYNCに応じて、走査信号Ｇ
[１]〜Ｇ[Ｍ]を、Ｍ本の走査線１２の各々に単位期間Ｕごとに順次出力することで、Ｍ本
の走査線１２の各々を順次選択する。単位期間Ｕは、水平同期信号ＨSYNCの１周期の時間
長（水平走査期間（１Ｈ））に設定される。
図４に示すように、第ｍ（第ｍライン）行の走査線１２に供給される走査信号Ｇ[m]は
、各垂直走査期間Ｖ内のＭ個の単位期間Ｕのうち第ｍ番目の単位期間Ｕ内にてハイレベル
（走査線１２の選択を意味する電位）に設定される。
走査線駆動回路２０が第ｍ行の走査線１２を選択すると、第ｍ行のＮ個の画素ＰIXの各
選択スイッチ４４がオン状態に遷移する。
【００２４】
図４に示すように、単位期間Ｕは、プリチャージ期間ＴPREと書込期間ＴWRTとを含んで
いる。
プリチャージ期間ＴPREは、書込期間ＴWRTの開始前に設定される。なお、図４では、書
込期間ＴWRTの前に１つのプリチャージ期間ＴPREが設けられているが、書込期間ＴWRTの
前に複数（例えば２つ）のプリチャージ期間ＴPREが設けられてもよい。
書込期間ＴWRTでは、各画素ＰIXの指定階調に応じた階調電位ＶGが各信号線１４に供給
される。プリチャージ期間ＴPREでは、所定のプリチャージ電位ＶPRE（ＶPREa、ＶPREb）
が各信号線１４に供給される。
【００２５】
分配回路群２１は、Ｊ個の分配回路２１[１]〜２１[Ｊ]を含む。分配回路２１[１]〜２
１[Ｊ]は、それぞれ、配線群Ｂ[１]〜Ｂ[Ｊ]に対応する。本実施形態では、分配回路２１
[１]〜２１[Ｊ]の各々として、デマルチプレクサーが用いられる。
図５は、分配回路２１[１]〜２１[Ｊ]と第１出力回路２００ａと第２出力回路２００ｂ
との一例を示した図である。
第ｊ（ｊ＝１〜Ｊ）番目の分配回路２１[ｊ]は、第ｊ番目の配線群Ｂ[ｊ]のＫ本の信号
線１４に対応するＫ個のスイッチ５８[１]〜５８[Ｋ]を含んで構成される。
分配回路２１[ｊ]内の第ｋ番目（ｋ＝１〜Ｋ）のスイッチ５８[ｋ]は、配線群Ｂ[ｊ]の
Ｋ本の信号線１４のうち第ｋ列目の信号線１４と、Ｊ本のデータ線１６のうち第ｊ番目の
データ線１６と、の間に介在して、両者間の電気的な接続（導通／非導通）を制御する。
奇数番目のデータ線１６は、第１出力回路２００ａと奇数番目の分配回路２１[ｊｏｄ
ｄ]とを接続する。偶数番目のデータ線１６は、第２出力回路２００ｂと偶数番目の分配
回路２１[ｊｅｖｅｎ]とを接続する。奇数番目の分配回路２１[ｊｏｄｄ]は、第１分配回
路の一例である。偶数番目の分配回路２１[ｊｅｖｅｎ]は、第２分配回路の一例である。
奇数番目のデータ線１６は、第１データ線の一例である。偶数番目のデータ線１６は、第
２データ線の一例である。
分配回路２１[ｊｏｄｄ]は、Ｋ本の第１選択信号線６０ａ[１]〜６０ａ[Ｋ]を含む第１
選択信号線群６０ａを介して、第１出力回路２００ａと接続されている。分配回路２１[
ｊｅｖｅｎ]は、Ｋ本の第２選択信号線６０ｂ[１]〜６０ｂ[Ｋ]を含む第２選択信号線群
６０ｂを介して、第２出力回路２００ｂと接続されている。
【００２６】
第１出力回路２００ａは、配線群Ｂ[ｊｏｄｄ]（第１信号線群）内の各信号線１４に供
給するための電位を時分割で含むデータ信号Ｃ[ｊｏｄｄ]を、第ｊｏｄｄ番目のデータ線
１６に出力する。データ信号Ｃ[ｊｏｄｄ]は、第１データ信号の一例である。第１出力回
路２００ａは、データ信号Ｃ[ｊｏｄｄ]を配線群Ｂ[ｊｏｄｄ]内の各信号線１４に分配す
るためのＫ個の第１選択信号ＳＥＬ1[１]〜ＳＥＬ1[Ｋ]を、それぞれ、第１選択信号線６
０ａ[１]〜６０ａ[Ｋ]に出力する。Ｋ個の第１選択信号ＳＥＬ1[１]〜ＳＥＬ1[Ｋ]は、複
数の第１選択信号の一例である。
第２出力回路２００ｂは、配線群Ｂ[ｊｅｖｅｎ]内の各信号線１４に供給するための電
位を時分割で含むデータ信号Ｃ[ｊｅｖｅｎ]を、第ｊｅｖｅｎ番目のデータ線１６に出力
する。データ信号Ｃ[ｊｅｖｅｎ]は、第２データ信号の一例である。第２出力回路２００
ｂは、データ信号Ｃ[ｊｅｖｅｎ]を配線群Ｂ[ｊｅｖｅｎ]（第２信号線群）内の各信号線
１４に分配するためのＫ個の第２選択信号ＳＥＬ2[１]〜ＳＥＬ2[Ｋ]を、それぞれ、第２
選択信号線６０ｂ[１]〜６０ｂ[Ｋ]に出力する。Ｋ個の第２選択信号ＳＥＬ2[１]〜ＳＥ
Ｌ2[Ｋ]は、複数の第２選択信号の一例である。Ｋ個の第２選択信号は、Ｋ個の第１選択
信号と１対１で対応する。つまり、第１選択信号ＳＥＬ1[ｋ]と第２選択信号ＳＥＬ2[ｋ]
は、互いに対応する。例えば、第２選択信号ＳＥＬ2[１]は、第１選択信号ＳＥＬ1[１]と
対応し、第２選択信号ＳＥＬ2[Ｋ]は、第１選択信号ＳＥＬ1[Ｋ]と対応する。
【００２７】
分配回路２１[ｊｏｄｄ]は、第１選択信号ＳＥＬ1[１]〜ＳＥＬ1[Ｋ]を用いて、データ
信号Ｃ[ｊｏｄｄ]を、配線群Ｂ[ｊｏｄｄ]内のＫ本の信号線１４に分配する。分配回路２
１[ｊｅｖｅｎ]は、第２選択信号ＳＥＬ2[１]〜ＳＥＬ2[Ｋ]を用いて、データ信号Ｃ[ｊ
ｅｖｅｎ]を、配線群Ｂ[ｊｅｖｅｎ]内のＫ本の信号線１４に分配する。
【００２８】
＜動作の概要＞
次に、電気光学装置１の動作の概要を説明する。
第１出力回路２００ａは、配線群Ｂ[ｊｏｄｄ]内の各信号線１４に対応する画素ＰIXの
階調を時分割で指定するデータ信号Ｃ[ｊｏｄｄ]（第１データ信号）を出力する。第１出
力回路２００ａは、さらに、第１選択信号ＳＥＬ1[１]〜ＳＥＬ1[Ｋ]を出力する。
第２出力回路２００ｂは、配線群Ｂ[ｊｅｖｅｎ]内の各信号線１４に対応する画素ＰIX
の階調を時分割で指定するデータ信号Ｃ[ｊｅｖｅｎ]（第２データ信号）を出力する。第
２出力回路２００ｂは、さらに、第２選択信号ＳＥＬ2[１]〜ＳＥＬ2[Ｋ]を出力する。
分配回路２１[ｊｏｄｄ]は、第１選択信号ＳＥＬ1[１]〜ＳＥＬ1[Ｋ]を用いて、データ
信号Ｃ[ｊｏｄｄ]を、配線群Ｂ[ｊｏｄｄ]内のＫ本の信号線１４に分配する。分配回路２
１[ｊｅｖｅｎ]は、第２選択信号ＳＥＬ2[１]〜ＳＥＬ2[Ｋ]を用いて、データ信号Ｃ[ｊ
ｅｖｅｎ]を、配線群Ｂ[ｊｅｖｅｎ]内のＫ本の信号線１４に分配する。
このため、第１出力回路２００ａが出力した複数の第１選択信号ＳＥＬ1[１]〜ＳＥＬ1
[Ｋ]と、第２出力回路２００ｂが出力した複数の第２選択信号ＳＥＬ2[１]〜ＳＥＬ2[Ｋ]
との両方が、データ信号の分配に用いられる。よって、第１出力回路２００ａと第２出力
回路２００ｂとの間の、受け持つ選択信号の相違による動作条件の違いを低減でき、動作
条件の違いに起因する画質の低下を抑制可能になる。
【００２９】
＜動作の詳細な説明＞
＜１．プリチャージの動作＞
まず、プリチャージ動作について説明する。
第１出力回路２００ａは、図４に示すように、プリチャージ期間ＴPREでは、データ信
号Ｃ[ｊｏｄｄ]をプリチャージ電位ＶPRE（ＶPREa、ＶPREb）に設定する。プリチャージ
電位ＶPREは、所定の基準電位ＶREF（例えば階調電位ＶGの振幅中心に相当する電位）に
対して負極性の電位に設定される。
図４に示すように、階調電位ＶGが基準電位ＶREFに対して正極性に設定される書込期間
ＴWRTの直前のプリチャージ期間ＴPREでは、データ信号Ｃ[ｊｏｄｄ]は、プリチャージ電
位ＶPREaに設定される。一方、階調電位ＶGが負極性に設定される書込期間ＴWRTの直前の
プリチャージ期間ＴPREでは、データ信号Ｃ[ｊｏｄｄ]は、プリチャージ電位ＶPREbに設
定される。プリチャージ電位ＶPREaは、プリチャージ電位ＶPREbよりも低い電位（基準電
位ＶREFとの差異が大きい電位）に設定される。
そして、第１出力回路２００ａは、プリチャージ期間ＴPREの間、第１選択信号ＳＥＬ1
[１]〜ＳＥＬ1[Ｋ]を一斉にアクティブレベル（スイッチ５８[ｋ]をオン状態に遷移させ
る電位）に設定する（図４のＳＥＬ[１]〜ＳＥＬ[Ｋ]参照）。
【００３０】
また、第２出力回路２００ｂは、図４に示すように、プリチャージ期間ＴPREでは、デ
ータ信号Ｃ[ｊｅｖｅｎ]をプリチャージ電位ＶPRE（ＶPREa、ＶPREb）に設定する。デー
タ信号Ｃ[ｊｏｄｄ]と同様に、階調電位ＶGが基準電位ＶREFに対して正極性に設定される
書込期間ＴWRTの直前のプリチャージ期間ＴPREでは、データ信号Ｃ[ｊｅｖｅｎ]は、プリ
チャージ電位ＶPREaに設定される。一方、階調電位ＶGが負極性に設定される書込期間ＴW
RTの直前のプリチャージ期間ＴPREでは、データ信号Ｃ[ｊｏｄｄ]と同様に、データ信号
Ｃ[ｊｅｖｅｎ]は、プリチャージ電位ＶPREbに設定される。
そして、第２出力回路２００ｂは、プリチャージ期間ＴPREの間、第２選択信号ＳＥＬ2
[１]〜ＳＥＬ2[Ｋ]を一斉にアクティブレベルに設定する（図４のＳＥＬ[１]〜ＳＥＬ[Ｋ
]参照）。
【００３１】
このため、プリチャージ期間ＴPREでは、分配回路群２１内のすべてのスイッチ５８[ｋ
]がオン状態に遷移し、分配回路群２１と接続する信号線１４の各々（さらには各画素ＰI
X内の画素電極４２１）に対して並列にプリチャージ電位ＶPREが供給される。
【００３２】
以上のように、プリチャージ期間ＴPREにおいて、第１出力回路２００ａが出力した第
１選択信号ＳＥＬ1[１]〜ＳＥＬ1[Ｋ]と、第２出力回路２００ｂが出力した第２選択信号
ＳＥＬ2[１]〜ＳＥＬ2[Ｋ]との両方が、データ信号の分配に用いられる。このため、第１
出力回路２００ａと第２出力回路２００ｂとの間の、受け持つ選択信号の違いに関する動
作条件の違いを低減でき、動作条件の違いに起因するデータ信号間のばらつきを抑制でき
、画質の低下を抑制可能になる。
また、各画素ＰIXに対する階調電位ＶGの供給前（書込前）に各信号線１４の電位がプ
リチャージ電位ＶPREに初期化されるから、表示画像の階調斑（縦クロストーク）を防止
することが可能になる。
【００３３】
＜２．書込の動作＞
次に、書込動作について説明する。
第１出力回路２００ａは、第ｍ行の走査線１２の選択期間内の書込期間ＴWRTでは、デ
ータ信号Ｃ[ｊｏｄｄ]を、第ｍ行の走査線１２と配線群Ｂ[ｊｏｄｄ]内の信号線１４との
各交差に対応する画素ＰIXの指定階調に応じた階調電位ＶGに、時分割で設定する。各画
素ＰIXの指定階調は、制御回路３０から供給される画像信号ＶIDで規定される。基準電位
ＶREFに対する階調電位ＶGの極性は、いわゆる焼き付きを防止するため、周期的（例えば
垂直走査期間Ｖごと）に順次に反転される。
【００３４】
また、第１出力回路２００ａは、書込期間ＴWRTでは、図４に示すように、第１選択信
号ＳＥＬ1[１]〜ＳＥＬ1[Ｋ]を、Ｋ個の選択期間Ｓ[１]〜Ｓ[Ｋ]にて順番にアクティブレ
ベルに設定する（図４に示したＳＥＬ[１]〜ＳＥＬ[Ｋ]参照）。
【００３５】
第２出力回路２００ｂは、第ｍ行の走査線１２の選択期間内の書込期間ＴWRTでは、デ
ータ信号Ｃ[ｊｅｖｅｎ]を、第ｍ行の走査線１２と配線群Ｂ[ｊｅｖｅｎ]内の信号線１４
との各交差に対応する画素ＰIXの指定階調に応じた階調電位ＶGに、時分割で設定する。
【００３６】
また、第２出力回路２００ｂは、書込期間ＴWRTでは、図４に示すように、第２選択信
号ＳＥＬ2[１]〜ＳＥＬ2[Ｋ]を、Ｋ個の選択期間Ｓ[１]〜Ｓ[Ｋ]にて順番にアクティブレ
ベルに設定する（図４に示したＳＥＬ[１]〜ＳＥＬ[Ｋ]参照）。
【００３７】
したがって、第ｍ行の走査線１２が選択される選択期間Ｓ[ｋ]では、分配回路２１[１]
〜２１[Ｊ]の各々におけるＫ個のスイッチ５８[１]〜５８[Ｋ]のうち第ｋ番目のスイッチ
５８[ｋ]（合計Ｊ個のスイッチ５８[ｋ]）がオン状態に遷移する。これにより、各配線群
Ｂ[ｊ]の第ｋ列目の信号線１４にデータ信号Ｃ[ｊ]の階調電位ＶGが供給される。
すなわち、各単位期間Ｕ内の書込期間ＴWRTでは、Ｊ個の配線群Ｂ[１]〜Ｂ[Ｊ]の各々
において、当該配線群Ｂ[ｊ]内のＫ本の信号線１４に、階調電位ＶGが時分割で供給され
る。第ｍ番目の単位期間Ｕ内の選択期間Ｓ[ｋ]において、階調電位ＶGは、第ｍ行の走査
線１２と配線群Ｂ[ｊ]の第ｋ列目の信号線１４との交差に対応する画素ＰIXの指定階調に
応じて設定される。
【００３８】
以上のように、書込期間ＴWRTにおいても、第１出力回路２００ａが出力した第１選択
信号ＳＥＬ1[１]〜ＳＥＬ1[Ｋ]と、第２出力回路２００ｂが出力した第２選択信号ＳＥＬ
2[１]〜ＳＥＬ2[Ｋ]との両方が、データ信号の分配に用いられる。このため、第１出力回
路２００ａと第２出力回路２００ｂとの間の、受け持つ選択信号の違いに関する動作条件
の違いを低減でき、動作条件の違いに起因するデータ信号間のばらつきを抑制でき、画質
の低下を抑制可能になる。
【００３９】
本実施形態によれば、分配回路２１[ｊｏｄｄ]では、スイッチ５８[１]〜５８[Ｋ]が第
１選択信号ＳＥＬ1[１]〜ＳＥＬ1[Ｋ]によってオンオフされ、これに応じて、データ信号
Ｃ[ｊｏｄｄ]が、分配回路２１[ｊｏｄｄ]と接続されている信号線１４に分配される。こ
こで、第１選択信号ＳＥＬ1[１]〜ＳＥＬ1[Ｋ]とデータ信号Ｃ[ｊｏｄｄ]は、共に、第１
出力回路２００ａから出力される。このため、分配回路２１[ｊｏｄｄ]は、第１出力回路
２００ａの出力した第１選択信号ＳＥＬ1[１]〜ＳＥＬ1[Ｋ]を用いて、第１出力回路２０
０ａの出力したデータ信号Ｃ[ｊｏｄｄ]を複数の信号線１４に分配することになる。よっ
て、データ信号Ｃ[ｊｏｄｄ]の分配時にデータ信号Ｃ[ｊｏｄｄ]と第１選択信号ＳＥＬ1[
１]〜ＳＥＬ1[Ｋ]との同期を取ることが可能になり、画質の低下を抑制可能になる。
【００４０】
また、分配回路２１[ｊｅｖｅｎ]では、スイッチ５８[１]〜５８[Ｋ]が第２選択信号Ｓ
ＥＬ2[１]〜ＳＥＬ2[Ｋ]によってオンオフされ、これに応じて、データ信号Ｃ[ｊｅｖｅ
ｎ]が、分配回路２１[ｊｅｖｅｎ]と接続されている信号線１４に分配される。ここで、
第２選択信号ＳＥＬ2[１]〜ＳＥＬ2[Ｋ]とデータ信号Ｃ[ｊｅｖｅｎ]は、共に、第２出力
回路２００ｂから出力される。このため、分配回路２１[ｊｅｖｅｎ]は、第２出力回路２
００ｂの出力した第２選択信号ＳＥＬ2[１]〜ＳＥＬ2[Ｋ]を用いて、第２出力回路２００
ｂの出力したデータ信号Ｃ[ｊｅｖｅｎ]を複数の信号線１４に分配することになる。よっ
て、データ信号Ｃ[ｊｅｖｅｎ]の分配時にデータ信号Ｃ[ｊｅｖｅｎ]と第２選択信号ＳＥ
Ｌ2[１]〜ＳＥＬ2[Ｋ]との同期を取ることが可能になり、画質の低下を抑制可能になる。
【００４１】
本実施形態では、Ｊを４以上の偶数とした場合、複数の配線群Ｂ[ｊｏｄｄ]と複数の配
線群Ｂ[ｊｅｖｅｎ]が存在することになる。そして、配線群Ｂ[ｊｏｄｄ]と配線群Ｂ[ｊ
ｅｖｅｎ]は、図２に示したように、交互に配置されることになる。このため、異なる供
給回路で駆動される画素群を交互に配置することが可能になり、該画素群間の画質の違い
を目立ちにくくすることが可能になる。
【００４２】
＜変形例＞
以上の一形態は多様に変形され得る。具体的な変形の態様を以下に例示する。以下の例
示から任意に選択された２以上の態様は相矛盾しない限り適宜に併合され得る。
【００４３】
＜変形例１＞
Ｊを４以上の偶数とした場合に、第１出力回路２００ａと接続端子３００ａ１を介して
接続する複数のデータ線１６の各々が、第２出力回路２００ｂと接続端子３００ｂ１を介
して接続する複数のデータ線１６の各々と隣り合うように、第１出力回路２００ａと第２
出力回路２００ｂとが積層されてもよい。接続端子３００ａ１と接続端子３００ｂ１は、
図１と図２のように、データ線１４の延びる方向に間隔を空けて並んで配置され、データ
線１６に接続される。
この場合、第１出力回路２００ａと接続する複数のデータ線１６と、第２出力回路２０
０ｂと接続する複数のデータ線１６と、を含むデータ線１６のピッチを、第１出力回路２
００ａと接続する複数のデータ線１６のピッチよりも小さくできる。また、第１出力回路
２００ａと接続する複数のデータ線１６と、第２出力回路２００ｂと接続する複数のデー
タ線１６と、を含むデータ線１６のピッチを、第２出力回路２００ｂと接続する複数のデ
ータ線１６のピッチよりも小さくできる。また、第１出力回路２００ａからデータ信号Ｃ
[ｊｏｄｄ]が供給される画素群と第２出力回路２００ｂからデータ信号Ｃ[ｊｅｖｅｎ]が
供給される画素群とを交互に配置しやすくなる。このような画素群の配置が行われると、
画素群間の画質の違いを目立ちにくくすることが可能になる。
【００４４】
＜変形例２＞
上述した形態において、第１出力回路２００ａが分配回路２１[１]〜２１[Ｊ/２]まで
を駆動し、第２出力回路２００ｂが分配回路２１[（Ｊ/２）＋１]〜２１[Ｊ]までを駆動
してもよい。この場合、分配回路２１[１]〜２１[Ｊ/２]と分配回路２１[（Ｊ/２）＋１]
〜２１[Ｊ]は、位置的に容易に分けられるので、分配回路２１[１]〜２１[Ｊ]と、第１出
力回路２００ａおよび第２出力回路２００ｂとの配線を単純化することが可能になる。
【００４５】
＜応用例＞
以上の各形態や変形例に例示した電気光学装置１は、各種の電子機器に利用され得る。
図６から図７には、電気光学装置１を採用した電子機器の具体的な形態が例示されている
。
【００４６】
図６は、電気光学装置１を採用した可搬型のパーソナルコンピュータの斜視図である。
パーソナルコンピュータ２０００は、各種の画像を表示する電気光学装置１と、電源スイ
ッチ２００１やキーボード２００２が設置された本体部２０１０とを含む。
【００４７】
図７は、電気光学装置１を適用した投射型表示装置（３板式のプロジェクタ）４０００
の模式図である。投射型表示装置４０００は、相異なる表示色（赤色，緑色，青色）に対
応する３個の電気光学装置１（１R，１G，１B）を含んで構成される。照明光学系４００
１は、照明装置（光源）４００２からの出射光のうち赤色成分ｒを電気光学装置１Rに供
給し、緑色成分ｇを電気光学装置１Gに供給し、青色成分ｂを電気光学装置１Bに供給する
。各電気光学装置１は、照明光学系４００１から供給される各単色光を表示画像に応じて
変調する光変調器（ライトバルブ）として機能する。投射光学系４００３は、各電気光学
装置１からの出射光を合成して投射面４００４に投射する。
【００４８】
なお、本発明に係る電気光学装置が適用される電子機器としては、図６から図７に例示
した機器のほか、携帯情報端末（ＰＤＡ：Personal Digital Assistants），デジタルス
チルカメラ，テレビ，ビデオカメラ，カーナビゲーション装置が挙げられる。さらに、該
電子機器としては、車載用の表示器（インパネ），電子手帳，電子ペーパー，電卓，ワー
ドプロセッサ，ワークステーション，テレビ電話，ＰＯＳ端末，プリンタ，スキャナ，複
写機，ビデオプレーヤ，タッチパネルを備えた機器等などが挙げられる。
【符号の説明】
【００４９】
１…電気光学装置、１０…画素部、１２…走査線、１４…信号線、２０…走査線駆動回
路、２１…分配回路群、３０…制御回路、６０ａ…第１選択信号線群、６０ｂ…第２選択
信号線群、２００ａ…第１出力回路、２００ｂ…第２出力回路、Ｂ[１]〜Ｂ[Ｊ]（Ｂ[ｊ
ｏｄｄ]、Ｂ[ｊｅｖｅｎ]）…配線群。
【図１】
2018017788.tif 000003
【図２】
2018017788.tif 000004
【図３】
2018017788.tif 000005
【図４】
2018017788.tif 000006
【図５】
2018017788.tif 000007
【図６】
2018017788.tif 000008
【図７】
2018017788.tif 000009